(57)【要約】  本発明は、帯域幅部分処理方法を開示し、前記方法は、端末機器が、制御情報を受信することと、前記端末機器が、前記制御情報に基づいて、帯域幅部分に対して非活性化処理および／または活性化処理を実行することとを含む。本発明は、さらに、別の帯域幅部分処理方法、端末機器、ネットワーク機器および記憶媒体を開示する。
2021528008.tif 000002
【特許請求の範囲】
【請求項１】
帯域幅部分処理方法であって、
端末機器が、制御情報を受信することと、
前記端末機器が、前記制御情報に基づいて、帯域幅部分に対して非活性化処理および／または活性化処理を実行することと、を含む、前記帯域幅部分処理方法。
【請求項２】
前記制御情報はダウンリンク制御情報であり、前記ダウンリンク制御情報は第１指示情報を運び、前記第１指示情報は、第２帯域幅部分を活性化させる時に、第１帯域幅部分に対して非活性化処理を実行するかどうかを指示する、
請求項１に記載の帯域幅部分処理方法。
【請求項３】
前記端末機器が、前記制御情報に基づいて、帯域幅部分に対して非活性化処理および／または活性化処理を実行することは、
前記第１指示情報は第１情報ドメインを含み、前記端末機器は、前記第２帯域幅部分を活性化する時に、前記第１情報ドメインの値に基づいて、前記第１帯域幅部分に対して非活性化処理を実行し、または前記第１帯域幅部分に対して非活性化処理を実行しないことを含む、
請求項２に記載の帯域幅部分処理方法。
【請求項４】
前記端末機器が、前記制御情報に基づいて、帯域幅部分に対して非活性化処理および／または活性化処理を実行することは、
前記第１情報ドメインが第１値である場合、前記端末機器が、前記第２帯域幅部分を活性化する時に、前記第１帯域幅部分に対して非活性化処理を実行することと、
前記第１情報ドメインが第２値である場合、前記端末機器が、前記第２帯域幅部分を活性化する時に、前記第１帯域幅部分に対して非活性化処理を実行しないことと、を含む、
請求項３に記載の帯域幅部分処理方法。
【請求項５】
前記第１帯域幅部分に対して非活性化処理を実行することは、
活性化時間が最も早い第１帯域幅部分に対して非活性化処理を実行すること、
または帯域幅部分のインデックス値が最も高い第１帯域幅部分に対して非活性化処理を実行すること、
または帯域幅部分のインデックス値が最も低い第１帯域幅部分に対して非活性化処理を実行すること、
または帯域幅が最も小さい第１帯域幅部分に対して非活性化処理を実行すること、
または帯域幅が最も大きい第１帯域幅部分に対して非活性化処理を実行すること、
または前記ダウンリンク制御情報を搬送する第１帯域幅部分に対して非活性化処理を実行すること、
または非活性化条件を満たす第１帯域幅部分に対して非活性化処理を実行すること、を含む、
請求項４に記載の帯域幅部分処理方法。
【請求項６】
前記制御情報はダウンリンク制御情報であり、前記ダウンリンク制御情報は第２指示情報を運び、前記第２指示情報は、第２帯域幅部分に対して活性化処理を実行し、および／または第１帯域幅部分に対して非活性化処理を実行することを指示する、
請求項１に記載の帯域幅部分処理方法。
【請求項７】
前記端末機器が、前記制御情報に基づいて、帯域幅部分に対して非活性化処理および／または活性化処理を実行することは、
前記第２指示情報は第２情報ドメインを含み、前記端末機器が、前記第２情報ドメインの値に基づいて、前記第２帯域幅部分に対して活性化処理を実行し、および／または前記第１帯域幅部分に対して非活性化処理を実行することを含む、
請求項６に記載の帯域幅部分処理方法。
【請求項８】
前記端末機器が、前記制御情報に基づいて、帯域幅部分に対して非活性化処理および／または活性化処理を実行することは、
前記第２情報ドメインが第１値である場合、前記端末機器が、前記第２帯域幅部分に対して活性化処理を実行することと、
前記第２情報ドメインが第２値である場合、前記端末機器が、前記第１帯域幅部分に対して非活性化処理を実行することと、を含む、
請求項７に記載の帯域幅部分処理方法。
【請求項９】
前記端末機器が、前記制御情報に基づいて、帯域幅部分に対して非活性化処理および／または活性化処理を実行することは、
前記第２指示情報は第３情報ドメインを含み、前記第３情報ドメインがビットマップである場合、前記端末機器が、前記ビットマップにおける各ビットの値に基づいて、前記第２帯域幅部分に対して活性化処理を実行し、および／または前記第１帯域幅部分に対して非活性化処理を実行することを含む、
請求項６に記載の帯域幅部分処理方法。
【請求項１０】
前記端末機器が、前記制御情報に基づいて、帯域幅部分に対して非活性化処理および／または活性化処理を実行することは、
前記ビットの値が第１値である場合、前記端末機器が、前記ビットに対応する第２帯域幅部分に対して活性化処理を実行することと、
前記ビットの値が第２値である場合、前記端末機器が、前記ビットに対応する第１帯域幅部分に対して非活性化処理を実行することと、を含む、
請求項９に記載の帯域幅部分処理方法。
【請求項１１】
前記端末機器が、前記制御情報に基づいて、帯域幅部分に対して非活性化処理および／または活性化処理を実行することは、
前記ダウンリンク制御情報が、少なくとも、第１帯域幅部分のインデックスおよび第２帯域幅部分のインデックスを運ぶことと、
前記端末機器が、前記第２帯域幅部分のインデックスに基づいて、第２帯域幅部分に対して活性化処理を実行し、前記第１帯域幅部分のインデックスに基づいて、第１帯域幅部分に対して非活性化処理を実行することと、を含む、
請求項６に記載の帯域幅部分処理方法。
【請求項１２】
前記端末機器が、前記制御情報に基づいて、帯域幅部分に対して非活性化処理および／または活性化処理を実行することは、
前記第１帯域幅部分のインデックスに含まれた第４情報ドメインの値が第１値である場合、前記端末機器が、前記第２帯域幅部分に対して活性化処理を実行することと、
前記第２帯域幅部分のインデックスに含まれた第５情報ドメインの値が第２値である場合、前記端末機器が、前記第１帯域幅部分に対して非活性化処理を実行することと、を含む、
請求項１１に記載の帯域幅部分処理方法。
【請求項１３】
前記端末機器が、前記制御情報に基づいて、帯域幅部分に対して非活性化処理および／または活性化処理を実行することは、
前記制御情報はダウンリンク制御情報であり、前記端末機器が、前記ダウンリンク制御情報をデコーディングして、対応するスクランブリングコードシーケンスを取得することと、
前記端末機器が、取得したスクランブリングコードシーケンスおよび第１マッピング関係に基づいて、帯域幅のインデックスを決定することと、
前記端末機器が、前記帯域幅のインデックスに対応する帯域幅部分に対して非活性化処理および／または活性化処理を実行することであって、前記第１マッピング関係は、スクランブリングコードシーケンスと帯域幅部分のインデックスとのマッピング関係であることと、を含む、
請求項１に記載の帯域幅部分処理方法。
【請求項１４】
前記端末機器が、前記制御情報に基づいて、帯域幅部分に対して非活性化処理および／または活性化処理を実行することは、
前記制御情報はダウンリンク制御情報であり、前記端末機器が、前記ダウンリンク制御情報をデコーディングして、対応するマスクシーケンスを取得することと、
前記端末機器が、取得したマスクシーケンスおよび第２マッピング関係に基づいて、帯域幅のインデックスを決定することと、
前記端末機器が、前記帯域幅のインデックスに対応する帯域幅部分に対して非活性化処理および／または活性化処理を実行することであって、前記第２マッピング関係は、マスクシーケンスと帯域幅部分のインデックスとのマッピング関係であることと、を含む、
請求項１に記載の帯域幅部分処理方法。
【請求項１５】
前記端末機器が、前記制御情報に基づいて、帯域幅部分に対して非活性化処理および／または活性化処理を実行することは、
前記端末機器が、前記制御情報が配置された制御リソースセットを決定することと、
前記端末機器が、前記制御リソースセットおよび第３マッピング関係に基づいて、帯域幅のインデックスを決定することと、
前記端末機器が、前記帯域幅のインデックスに対応する帯域幅部分に対して非活性化処理および／または活性化処理を実行することであって、前記第３マッピング関係は、制御リソースセットと帯域幅部分のインデックスとのマッピング関係であることと、を含む、
請求項１に記載の帯域幅部分処理方法。
【請求項１６】
前記端末機器が、前記制御情報に基づいて、帯域幅部分に対して非活性化処理および／または活性化処理を実行することは、
前記端末機器が、前記制御情報が配置されたサーチスペースを決定することと、
前記端末機器が、前記制御リソースセットおよび第４マッピング関係に基づいて、帯域幅のインデックスを決定することと、
前記端末機器が、前記帯域幅のインデックスに対応する帯域幅部分に対して非活性化処理および／または活性化処理を実行することであって、前記第４マッピング関係は、サーチスペースと帯域幅部分のインデックスとのマッピング関係であることと、を含む、
請求項１に記載の帯域幅部分処理方法。
【請求項１７】
端末機器が、前記制御情報に基づいて、帯域幅部分に対して非活性化処理または活性化処理を実行することは、
前記端末機器が、前記制御情報が使用する復調基準信号シーケンスを決定することと、
前記端末機器が、前記復調基準信号シーケンスおよび第５マッピング関係に基づいて、帯域幅のインデックスを決定することと、
前記端末機器が、前記帯域幅のインデックスに対応する帯域幅部分に対して非活性化処理および／または活性化処理を実行することであって、前記第５マッピング関係は、復調基準信号シーケンスと帯域幅部分のインデックスとのマッピング関係であることと、を含む、
請求項１に記載の帯域幅部分処理方法。
【請求項１８】
帯域幅部分処理方法であって、
ネットワーク機器が、制御情報を送信することを含み、前記制御情報は、端末機器が帯域幅部分に対して非活性化処理および／または活性化処理を実行するために使用される、前記帯域幅部分処理方法。
【請求項１９】
前記制御情報はダウンリンク制御情報であり、前記ダウンリンク制御情報は第１８指示情報を運び、前記第１指示情報は、第２帯域幅部分を活性化させる時に、第１帯域幅部分に対して非活性化処理を実行するかどうかを指示する、
請求項１に記載の帯域幅部分処理方法。
【請求項２０】
前記第１指示情報は第１情報ドメインを含み、前記第１情報ドメインの値は、前記第１帯域幅部分に対して非活性化処理を実行し、または前記第１帯域幅部分に対して非活性化処理を実行しないことを指示する、
請求項１９に記載の帯域幅部分処理方法。
【請求項２１】
前記制御情報はダウンリンク制御情報であり、前記ダウンリンク制御情報は第２指示情報を運び、前記第２指示情報は、第２帯域幅部分に対して活性化処理を実行し、および／または第１８帯域幅部分に対して非活性化処理を実行することを指示する、
請求項１に記載の帯域幅部分処理方法。
【請求項２２】
前記第２指示情報は第２情報ドメインを含み、前記第２情報ドメインの値は、前記第２帯域幅部分に対して活性化処理を実行し、および／または前記第１帯域幅部分に対して非活性化処理を実行することを指示する、
請求項２１に記載の帯域幅部分処理方法。
【請求項２３】
前記第２指示情報は第３情報ドメインを含み、前記第３情報ドメインがビットマップである場合、前記ビットマップにおける各ビットの値は、第２帯域幅部分に対して活性化処理を実行し、および／または前記第１帯域幅部分に対して非活性化処理を実行する、
請求項２１に記載の帯域幅部分処理方法。
【請求項２４】
前記ダウンリンク制御情報は、少なくとも、第１帯域幅部分のインデックスおよび第２帯域幅部分のインデックスを運び、
前記第２帯域幅部分のインデックスは、第２帯域幅部分に対して活性化処理を実行することを指示し、前記第１帯域幅部分のインデックスは、第１帯域幅部分に対して非活性化処理を実行することを指示する、
請求項２１に記載の帯域幅部分処理方法。
【請求項２５】
前記第１帯域幅部分のインデックスに含まれた第４情報ドメインの値が第１値である場合、前記第２帯域幅部分に対して活性化処理を実行することを指示し、
前記第２帯域幅部分のインデックスに含まれた第５情報ドメインの値が第２値である場合、前記第１帯域幅部分に対して非活性化処理を実行することを指示する、
請求項２４に記載の帯域幅部分処理方法。
【請求項２６】
前記制御情報はダウンリンク制御情報であり、前記ダウンリンク制御情報に対応するスクランブリングコードシーケンス、およびスクランブリングコードシーケンスと帯域幅部分のインデックスとの第１マッピング関係は、帯域幅のインデックスに対応する帯域幅部分に対して非活性化処理および／または活性化処理を実行することを指示する、
請求項１８に記載の帯域幅部分処理方法。
【請求項２７】
前記制御情報はダウンリンク制御情報であり、前記ダウンリンク制御情報に対応するマスクシーケンス、およびマスクシーケンスと帯域幅部分のインデックスとの第２マッピング関係は、帯域幅のインデックスに対応する帯域幅部分に対して非活性化処理および／または活性化処理を実行することを指示する、
請求項１８に記載の帯域幅部分処理方法。
【請求項２８】
前記制御情報が配置されたリソース制御セット、および制御リソースセットと帯域幅部分のインデックスとの第３マッピング関係は、帯域幅のインデックスに対応する帯域幅部分に対して非活性化処理および／または活性化処理を実行することを指示する、
請求項１８に記載の帯域幅部分処理方法。
【請求項２９】
前記制御情報が配置されたサーチスペース、およびサーチスペースと帯域幅部分のインデックスとの第４マッピング関係は、帯域幅のインデックスに対応する帯域幅部分に対して非活性化処理および／または活性化処理を実行することを指示する、
請求項１８に記載の帯域幅部分処理方法。
【請求項３０】
前記制御情報が使用する復調基準信号シーケンス、および復調基準信号シーケンスと帯域幅部分のインデックスとの第５マッピング関係は、帯域幅のインデックスに対応する帯域幅部分に対して非活性化処理および／または活性化処理を実行することを指示する、
請求項１８に記載の帯域幅部分処理方法。
【請求項３１】
端末機器であって、
制御情報を受信するように構成される受信ユニットと、
前記制御情報に基づいて、帯域幅部分に対して非活性化処理および／または活性化処理を実行するように構成される処理ユニットと、を備える、前記端末機器。
【請求項３２】
前記制御情報はダウンリンク制御情報であり、前記ダウンリンク制御情報は第１指示情報を運び、前記第１指示情報は、第２帯域幅部分を活性化させる時に、第１帯域幅部分に対して非活性化処理を実行するかどうかを指示する、
請求項３１に記載の端末機器。
【請求項３３】
前記第１指示情報は第１情報ドメインを含み、前記処理ユニットは、前記第２帯域幅部分を活性化する時に、前記第１情報ドメインの値に基づいて、前記第１帯域幅部分に対して非活性化処理を実行し、または前記第１帯域幅部分に対して非活性化処理を実行しないように構成される、
請求項３２に記載の端末機器。
【請求項３４】
前記処理ユニットは、前記第１情報ドメインが第１値である場合、前記第２帯域幅部分を活性化する時に、前記第１帯域幅部分に対して非活性化処理を実行し、
前記第１情報ドメインが第２値である場合、前記第２帯域幅部分を活性化する時に、不前記第１帯域幅部分に対して非活性化処理を実行するように構成される、
請求項３３に記載の端末機器。
【請求項３５】
前記処理ユニットは、活性化時間が最も早い第１帯域幅部分に対して非活性化処理を実行し、
または帯域幅部分のインデックス値が最も高い第１帯域幅部分に対して非活性化処理を実行し、
または帯域幅部分のインデックス値が最も低い第１帯域幅部分に対して非活性化処理を実行し、
または帯域幅が最も小さい第１帯域幅部分に対して非活性化処理を実行し、
または帯域幅が最も大きい第１帯域幅部分に対して非活性化処理を実行し、
または前記ダウンリンク制御情報を搬送する第１帯域幅部分に対して非活性化処理を実行し、
または非活性化条件を満たす第１帯域幅部分に対して非活性化処理を実行するように構成される、
請求項３４に記載の端末機器。
【請求項３６】
前記制御情報はダウンリンク制御情報であり、前記ダウンリンク制御情報は第２指示情報を運び、前記第２指示情報は、第２帯域幅部分に対して活性化処理を実行し、および／または第１帯域幅部分に対して非活性化処理を実行することを指示する、
請求項３１に記載の端末機器。
【請求項３７】
前記第２指示情報は第２情報ドメインを含み、前記処理ユニットは、前記第２情報ドメインの値に基づいて、前記第２帯域幅部分に対して活性化処理を実行し、および／または前記第１帯域幅部分に対して非活性化処理を実行するように構成される、
請求項３６に記載の端末機器。
【請求項３８】
前記処理ユニットは、前記第２情報ドメインが第１値である場合、前記第２帯域幅部分に対して活性化処理を実行し、
前記第２情報ドメインが第２値である場合、前記第１帯域幅部分に対して非活性化処理を実行するように構成される、
請求項３７に記載の端末機器。
【請求項３９】
前記第２指示情報は第３情報ドメインを含み、前記第３情報ドメインがビットマップである場合、
前記処理ユニットは、前記ビットマップにおける各ビットの値に基づいて、第２帯域幅部分に対して活性化処理を実行し、および／または前記第１帯域幅部分に対して非活性化処理を実行するように構成される、
請求項３６に記載の端末機器。
【請求項４０】
前記処理ユニットは、前記ビットの値が第１値である場合、前記ビットに対応する第２帯域幅部分に対して活性化処理を実行し、
前記ビットの値が第２値である場合、前記ビットに対応する第１帯域幅部分に対して非活性化処理を実行するように構成される、
請求項３９に記載の端末機器。
【請求項４１】
前記ダウンリンク制御情報が、少なくとも、第１帯域幅部分のインデックスおよび第２帯域幅部分のインデックスを運び、
前記処理ユニットは、前記第２帯域幅部分のインデックスに基づいて、第２帯域幅部分に対して活性化処理を実行し、前記第１帯域幅部分のインデックスに基づいて、第１帯域幅部分に対して非活性化処理を実行するように構成される、
請求項３６に記載の端末機器。
【請求項４２】
前記処理ユニットは、前記第１帯域幅部分のインデックスに含まれた第４情報ドメインの値が第１値である場合、前記第２帯域幅部分に対して活性化処理を実行し、
前記第２帯域幅部分のインデックスに含まれた第５情報ドメインの値が第２値である場合、前記第１帯域幅部分に対して非活性化処理を実行するように構成される、
請求項４１に記載の端末機器。
【請求項４３】
前記制御情報はダウンリンク制御情報であり、前記処理ユニットは、前記ダウンリンク制御情報をデコーディングして、対応するスクランブリングコードシーケンスを取得し、
取得したスクランブリングコードシーケンスおよび第１マッピング関係に基づいて、帯域幅のインデックスを決定し、
前記帯域幅のインデックスに対応する帯域幅部分に対して非活性化処理および／または活性化処理を実行するように構成され、前記第１マッピング関係は、スクランブリングコードシーケンスと帯域幅部分のインデックスとのマッピング関係である、
請求項３１に記載の端末機器。
【請求項４４】
前記制御情報はダウンリンク制御情報であり、前記処理ユニットは、前記ダウンリンク制御情報をデコーディングして、対応するマスクシーケンスを取得し、
取得したマスクシーケンスおよび第２マッピング関係に基づいて、帯域幅のインデックスを決定し、
前記帯域幅のインデックスに対応する帯域幅部分に対して非活性化処理および／または活性化処理を実行するように構成され、前記第２マッピング関係は、マスクシーケンスと帯域幅部分のインデックスとのマッピング関係である、
請求項３１に記載の端末機器。
【請求項４５】
前記処理ユニットは、前記制御情報が配置された制御リソースセットを決定し、
前記制御リソースセットおよび第３マッピング関係に基づいて、帯域幅のインデックスを決定し、
前記帯域幅のインデックスに対応する帯域幅部分に対して非活性化処理および／または活性化処理を実行するように構成され、前記第３マッピング関係は、制御リソースセットと帯域幅部分のインデックスとのマッピング関係である、
請求項３１に記載の端末機器。
【請求項４６】
前記処理ユニットは、前記制御情報が配置されたサーチスペースを決定し、
前記制御リソースセットおよび第４マッピング関係に基づいて、帯域幅のインデックスを決定し、
前記帯域幅のインデックスに対応する帯域幅部分に対して非活性化処理および／または活性化処理を実行するように構成され、前記第４マッピング関係は、サーチスペースと帯域幅部分のインデックスとのマッピング関係である、
請求項３１に記載の端末機器。
【請求項４７】
前記処理ユニットは、前記制御情報が使用する復調基準信号シーケンスを決定し、
前記復調基準信号シーケンスおよび第５マッピング関係に基づいて、帯域幅のインデックスを決定し、
前記帯域幅のインデックスに対応する帯域幅部分に対して非活性化処理および／または活性化処理を実行するように構成され、前記第５マッピング関係は、復調基準信号シーケンスと帯域幅部分のインデックスとのマッピング関係である、
請求項３１に記載の端末機器。
【請求項４８】
ネットワーク機器であって、
制御情報を送信するように構成される送信ユニットを備え、前記制御情報は、端末機器が、帯域幅部分に対して非活性化処理および／または活性化処理を実行するために使用される、前記ネットワーク機器。
【請求項４９】
前記制御情報はダウンリンク制御情報であり、前記ダウンリンク制御情報は第１指示情報を運び、前記第１指示情報は、第２帯域幅部分を活性化させる時に、第１帯域幅部分に対して非活性化処理を実行するかどうかを指示する、
請求項４８に記載のネットワーク機器。
【請求項５０】
前記第１指示情報は第１情報ドメインを含み、前記第１情報ドメインの値は、前記第１帯域幅部分に対して非活性化処理を実行し、または前記第１帯域幅部分に対して非活性化処理を実行しないことを指示する、
請求項４９に記載のネットワーク機器。
【請求項５１】
前記制御情報はダウンリンク制御情報であり、前記ダウンリンク制御情報は第２指示情報を運び、前記第２指示情報は、第２帯域幅部分に対して活性化処理を実行し、および／または第１帯域幅部分に対して非活性化処理を実行することを指示する。
請求項４８に記載のネットワーク機器。
【請求項５２】
前記第２指示情報は第２情報ドメインを含み、前記第２情報ドメインの値は、前記第２帯域幅部分に対して活性化処理を実行し、および／または前記第１帯域幅部分に対して非活性化処理を実行することを指示する、
請求項５１に記載のネットワーク機器。
【請求項５３】
前記第２指示情報は第３情報ドメインを含み、前記第３情報ドメインがビットマップである場合、前記ビットマップにおける各ビットの値は、第２帯域幅部分に対して活性化処理を実行し、および／または前記第１帯域幅部分に対して非活性化処理を実行することを指示する、
請求項５１に記載のネットワーク機器。
【請求項５４】
前記ダウンリンク制御情報は、少なくとも、第１帯域幅部分のインデックスおよび第２帯域幅部分のインデックスを運び、前記第２帯域幅部分のインデックスは、第２帯域幅部分に対して活性化処理を実行することを指示し、前記第１帯域幅部分のインデックスは、第１帯域幅部分に対して非活性化処理を実行することを指示する、
請求項５１に記載のネットワーク機器。
【請求項５５】
前記第１帯域幅部分のインデックスに含まれた第４情報ドメインの値が第１値である場合、前記第２帯域幅部分に対して活性化処理を実行することを指示し、
前記第２帯域幅部分のインデックスに含まれた第５情報ドメインの値が第２値である場合、前記第１帯域幅部分に対して非活性化処理を実行することを指示する、
請求項５４に記載のネットワーク機器。
【請求項５６】
前記制御情報はダウンリンク制御情報であり、前記ダウンリンク制御情報に対応するスクランブリングコードシーケンス、およびスクランブリングコードシーケンスと帯域幅部分のインデックスとの第１マッピング関係は、帯域幅のインデックスに対応する帯域幅部分に対して非活性化処理および／または活性化処理を実行することを指示する、
請求項４８に記載のネットワーク機器。
【請求項５７】
前記制御情報はダウンリンク制御情報であり、前記ダウンリンク制御情報に対応するマスクシーケンス、およびマスクシーケンスと帯域幅部分のインデックスとの第２マッピング関係は、帯域幅のインデックスに対応する帯域幅部分に対して非活性化処理および／または活性化処理を実行することを指示する、
請求項４８に記載のネットワーク機器。
【請求項５８】
前記制御情報が配置されたリソース制御セット、および制御リソースセットと帯域幅部分のインデックスとの第３マッピング関係は、帯域幅のインデックスに対応する帯域幅部分に対して非活性化処理および／または活性化処理を実行することを指示する、
請求項４８に記載のネットワーク機器。
【請求項５９】
前記制御情報が配置されたサーチスペース、およびサーチスペースと帯域幅部分のインデックスとの第４マッピング関係は、帯域幅のインデックスに対応する帯域幅部分に対して非活性化処理および／または活性化処理を実行することを指示する、
請求項４８に記載のネットワーク機器。
【請求項６０】
前記制御情報が使用する復調基準信号シーケンス、および復調基準信号シーケンスと帯域幅部分のインデックスとの第５マッピング関係は、帯域幅のインデックスに対応する帯域幅部分に対して非活性化処理および／または活性化処理を実行することを指示する、
請求項４８に記載のネットワーク機器。
【請求項６１】
端末機器であって
プロセッサおよびメモリを備え、前記メモリは、コンピュータプログラムを記憶するように構成され、前記プロセッサは、前記メモリに記憶されたコンピュータプログラムを呼び出して実行して、請求項１ないし１７のいずれか一項に記載の方法を実行するように構成される、前記端末機器。
【請求項６２】
ネットワーク機器であって、
プロセッサおよびメモリを備え、前記メモリは、コンピュータプログラムを記憶するように構成され、前記プロセッサは、前記メモリに記憶されたコンピュータプログラムを呼び出して実行して、請求項１ないし１７のいずれか一項に記載の方法を実行するように構成される、前記ネットワーク機器。
【請求項６３】
チップであって、
メモリからコンピュータプログラムを呼び出して実行して、前記チップが実装された機器が、請求項１ないし１７のいずれか一項に記載の方法を実行するように構成されるプロセッサを備える、前記チップ。
【請求項６４】
チップであって、
メモリからコンピュータプログラムを呼び出して実行して、前記チップが実装された機器が、請求項１８ないし３０のいずれか一項に記載の方法を実行するように構成されるプロセッサを備える、前記チップ。
【請求項６５】
コンピュータ可読記憶媒体であって、
コンピュータプログラムを記憶するように構成され、前記コンピュータプログラムは、コンピュータが請求項１ないし１７のいずれか一項に記載の方法を実行するようにする、前記コンピュータ可読記憶媒体。
【請求項６６】
コンピュータ可読記憶媒体であって、
コンピュータプログラムを記憶するように構成され、前記コンピュータプログラムは、コンピュータが請求項１８ないし３０のいずれか一項に記載の方法を実行するようにする、前記コンピュータ可読記憶媒体。
【請求項６７】
コンピュータプログラム製品であって、
コンピュータプログラム命令を含み、前記コンピュータプログラム命令は、コンピュータが請求項１ないし１７のいずれか一項に記載の方法を実行するようにする、前記コンピュータプログラム製品。
【請求項６８】
コンピュータプログラム製品であって、
コンピュータプログラム命令を含み、前記コンピュータプログラム命令は、コンピュータが請求項１８ないし３０のいずれか一項に記載の方法を実行するようにする、前記コンピュータプログラム製品。
【請求項６９】
コンピュータプログラムであって、
コンピュータが請求項１ないし１７のいずれか一項に記載の方法を実行するようにする、前記コンピュータプログラム。
【請求項７０】
コンピュータプログラムであって、
コンピュータが請求項１８ないし３０のいずれか一項に記載の方法を実行するようにする、前記コンピュータプログラム。
【発明の詳細な説明】
【技術分野】
【０００１】
本発明は、無線通信の技術分野に関し、具体的に、帯域幅部分処理方法、端末機器およびネットワーク機器に関する。
【背景技術】
【０００２】
第５世代（５Ｇ：５ｔｈ  Ｇｅｎｅｒａｔｉｏｎ）ニューラジオ（ＮＲ：Ｎｅｗ  Ｒａｄｉｏ）システムでは、システム帯域幅が大幅に改善されたため、端末によって伝送される帯域幅は、システム帯域幅の一部しか占有しない可能性がある。システム帯域幅より小さい範囲を有する周波数領域リソースの割り当てを実現するために、帯域幅部分（ＢＷＰ：ＢａｎｄＷｉｄｔｈ  Ｐａｒｔ）が導入される。
【０００３】
関連技術では、１つの端末機器に対して１つのＢＷＰしか活性化できず、ＢＷＰに対する柔軟な構成を実現することができない。
【発明の概要】
【発明が解決しようとする課題】
【０００４】
本願実施例は、帯域幅部分処理方法を提供し、端末機器は、ネットワーク機器によって送信された制御情報に従って、ＢＷＰに対して活性化処理または非活性化処理を実行して、ＢＷＰに対する柔軟な構成を実現することができる。
【課題を解決するための手段】
【０００５】
第１態様によれば、帯域幅部分処理方法を提供し、前記方法は、端末機器が、制御情報を受信することと、端末機器前記制御情報に基づいて、帯域幅部分に対して非活性化処理および／または活性化処理を実行することとを含む。
【０００６】
第２態様によれば、帯域幅部分処理方法を提供し、前記方法は、ネットワーク機器が、制御情報を送信することを含み、前記制御情報は、端末機器が帯域幅部分に対して非活性化処理および／または活性化処理を実行するために使用される。
【０００７】
第３態様によれば、端末機器を提供し、前記端末機器は、上記の第１態様またはその実現形態における方法を実行するように構成される。具体的に、当該端末機器は、上記の第１態様またはその各実現形態における方法を実行するように構成される機能モジュールを備える。
【０００８】
第４態様によれば、ネットワーク機器を提供し、前記ネットワーク機器は、上記の第２態様またはその実現形態における方法を実行するように構成される。具体的に、当該ネットワーク機器は、上記の第２態様またはその各実現形態における方法を実行するように構成される機能モジュールを備える。
【０００９】
第５態様によれば、端末機器を提供し、前記端末機器はプロセッサおよびメモリを備える。当該メモリは、コンピュータプログラムを記憶するように構成され、当該プロセッサは、当該メモリに記憶されたコンピュータプログラムを呼び出して実行して、上記の第１の態様またはその各実現方式における方法を実行するように構成される。
【００１０】
第６態様によれば、ネットワーク機器を提供し、前記ネットワーク機器は、プロセッサおよびメモリを備える。当該メモリは、コンピュータプログラムを記憶するように構成され、当該プロセッサは、当該メモリに記憶されたコンピュータプログラムを呼び出して実行して、上記の第２の態様またはその各実現方式における方法を実行するように構成される。
【００１１】
第７態様によれば、チップを提供し、上記の第１態様または第２態様のいずれか１つの態様またはその各実現方式における方法を実現するように構成される。
【００１２】
具体的に、当該チップは、メモリからコンピュータプログラムを呼び出して実行して、当該チップが実装された機器が、上記の第１の態様または第２の態様のいずれか１つの態様またはその各実現方式における方法を実行するように構成されるプロセッサを備える。
【００１３】
第８の態様によれば、コンピュータプログラムを記憶するために使用されるコンピュータ読み取り可能な記憶媒体を提供し、当該コンピュータプログラムは、コンピュータが上記の第１の態様または第２の態様のいずれか１つの態様またはその各実現方式における方法を実行する。
【００１４】
第９の態様によれば、コンピュータプログラム命令を含むタプログラム製品を提供し、当該コンピュータプログラム命令は、コンピュータが上記の第１の態様または第２の態様のいずれか１つの態様またはその各実現方式における方法を実行するようにする。
【００１５】
第１０の態様によれば、コンピュータプログラムを提供し、当該コンピュータプログラムがコンピュータによって実行するときに、コンピュータが上記の第１の態様または第２の態様のいずれか１つの態様またはその各実現方式における方法を実行するようにする。
【発明の効果】
【００１６】
上記の技術的解決策によれば、端末機器は、受信した制御情報に基づいて、ＢＷＰに対して非活性化処理および／または活性化処理を実行して、ＢＷＰに対する柔軟な構成を実現することができる。
【図面の簡単な説明】
【００１７】
【図１】本願実施例で提供する通信システムアーキテクチャの概略図である。
【図２】本願で提供するＢＷＰ活性化プロセスの概略図である。
【図３】本願実施例で提供する、端末機器に適用される帯域幅部分処理方法の代替的な処理の例示的なフローチャートである。
【図４】本願実施例で提供する、通信システムに適用される帯域幅部分処理方法の代替的な処理の例示的なフローチャートである。
【図５】本願実施例で提供する端末機器の構成の概略的な構造図である。
【図６】本願実施例によって提供されるネットワーク機器の構成の概略的な構造である。
【図７】本願実施例で提供する通信機器の例示的なブロック図である。
【図８】本願実施例で提供するチップの概略的なブロック図である。
【図９】本願実施例で提供する通信システムの概略的なブロック図である。
【発明を実施するための形態】
【００１８】
以下、本願実施例における図面を参照して、本願実施例における技術的解決策を説明するが、説明された実施例は、本願実施例の一部であり、全部の実施例ではないことは明らかである。本願実施例に基づき、創造的な努力なしに当業者が取得した他のすべての実施例は、本願の保護範囲に含まれる。
【００１９】
本願実施例の技術案は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは５Ｇシステムなど、様々な通信システムに適用されることができる。
【００２０】
例示的に、本願実施例に適用される通信システム１００は図１に示す。当該通信システム１００は、ネットワーク機器１１０を
備えることができ、ネットワーク機器１１０は、端末機器１２０（または通信端末、端末と称する）と通信する機器であってもよい。ネットワーク機器１１０は、特定の地理的エリアに通信カバレッジを提供することができ、当該カバレッジエリア内に位置する端末機器と通信することができる。例示的に、当該ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）であってもよく、ＷＣＤＭＡシステムの基地局（ＮＢ：ＮｏｄｅＢ）であってもよく、さらに、ＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）無線コントローラであってもよく、または、当該ネットワーク機器は、モバイルスイッチングセンタ、リレーステーション、アクセスポイント、車載機器、ウェアラブル機器、ハブ、スイッチ、ブリッジ、５Ｇネットワークのネットワーク側の機器、または未来進化の公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００２１】
当該通信システム１００は、ネットワーク機器１１０のカバレッジエリア内に位置する少なくとも１つの端末機器１２０をさらに備える。ここで使用される「端末機器」は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ：Ｄｉｇｉｔａｌ  Ｓｕｂｓｃｒｉｂｅｒ  Ｌｉｎｅ）、デジタルケーブル、直接ケーブルを介した接続などの有線回線接続を介した、および／または別のデータ接続／ネットワークを介した、および／または、セルラーネットワーク、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）、ＤＶＢ−Ｈネットワークなどのデジタルテレビネットワーク、衛星ネットワーク、ＡＭ−ＦＭ放送送信機などに対する無線インターフェースを介した、および／または別の端末の、通信信号を送受信するように設定された装置、および／または物事のインターネットシステム（ＩｏＴ：Ｉｎｔｅｒｎｅｔ  ｏｆ  Ｔｈｉｎｇｓ）機器を含むが、これらに限定されない。無線インターフェースを介して通信するように設定された端末機器は、「無線通信端末」、「無線端末」または「モバイル端末」と称し得る。モバイル端末の例は、衛星または携帯電話、セルラー無線電話とデータ処理、ファックスおよびデータ通信能力を組み合わせることができるパーソナル通信システム（ＰＣＳ：  Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダおよび／またはグローバルポジショニングシステム（ＧＰＳ：Ｇｌｏｂａｌ  Ｐｏｓｉｔｉｏｎｉｎｇ  Ｓｙｓｔｅｍ）受信機を備えることができるＰＤＡ、および従来のラップトップ型および／またはハンドヘルド型受信機または無線電話トランシーバを備えた他の電子装置を含むが、これらに限定されない。端末機器は、アクセス端末、ユーザ機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始
プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび５Ｇネットワークの端末機器または未来進化のＰＬＭＮの端末機器などであってもよい。
【００２２】
例示的に、端末機器１２０間では、装置対装置（Ｄ２Ｄ：Ｄｅｖｉｃｅ  ｔｏ  Ｄｅｖｉｃｅ）通信を実行することができる。
【００２３】
例示的に、５Ｇシステムまたは５Ｇネットワークは、ニューラジオ（ＮＲ：Ｎｅｗ  Ｒａｄｉｏ）システムまたはＮＲネットワークとも称し得る。
【００２４】
図１は、１つのネットワーク機器および２つの端末機器を例示的に示し、例示的に、当該通信システム１００は、複数のネットワーク機器を備えることができ、さらに、各ネットワーク機器のカバレッジエリアには他の数の端末機器が備えた可能性があり、本願実施例は、これらに対して限定しない。
【００２５】
例示的に、当該通信システム１００は、ネットワークコントローラ、モバイル管理エンティティなどの他のネットワークエンティティをさらに備えることができ、本願実施例は、これらに対して限定しない。
【００２６】
本願実施例では、ネットワーク／システムにおける通信機能を備えた機器を通信機器と称し得ることを理解されたい。図１に示された通信システム１００を例とすると、通信機器は、通信機能を備えたネットワーク１１０および端末機器１２０を備えることができ、ネットワーク機器１１０および端末機器１２０は、上文に記載の具体的な機器であってもよく、ここでは繰り返して説明せず、通信機器は、通信システム１００における、ネットワークコントローラ、モバイル管理エンティティなどの他のネットワークエンティティなど、他の機器をさらに備えることができ、本願実施例はこれらに対して制限しない。
【００２７】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における記号「／」は、一般的に、コンテキストオブジェクトが「または」の関係であることを示す。
【００２８】
発明者は、ＢＷＰの活性化技術案を実施する時に、関連技術で、ネットワーク機器が無線リソース制御（ＲＲＣ：Ｒａｄｉｏ  Ｒｅｓｏｕｒｃｅ  Ｃｏｎｔｒｏｌ）シグナリングを介して端末に対して複数のＢＷＰを構成し、ダウンリンク制御シグナリング（ＤＣＩ：Ｄｏｗｎｌｉｎｋ  Ｃｏｎｔｒｏｌ  Ｉｎｆｏｒｍａｔｉｏｎ）において特定のＢＷＰを動的に活性化させることができ、１つの端末は、１つのＢＷＰしか活性化できず、１つの新しいＢＷＰを活性化する場合、以前に活性化されたＢＷＰは非活性化される。関連技術におけるＢＷＰ活性化プロセスの概略図は、図２に示す。ＢＷＰ１が活性化状態である場合、ＢＷＰ２が活性化されると、ＢＷＰ１は非活性化され、１つの新しいＢＷＰが活性化されると、活性化されたＢＷＰのタイマを同時にリセットする。タイマが期限切れになると、デフォルトのＢＷＰにフォールバックする。図２を例とすると、時刻３にＢＷＰ１を活性化するが、タイマが期限切れになったため、デフォルトのＢＷＰにフォールバックする。
【００２９】
図３は、本願実施例で提供する、端末機器に適用される帯域幅部分処理方法の代替的な処理の例示的なフローチャートであり、前記方法は、次のステップを含む。
【００３０】
ステップＳ１０１において、端末機器が、制御情報を受信する。
【００３１】
本発明の実施例では、端末機器が、ネットワーク機器によって送信された制御情報を受信する。
【００３２】
ステップＳ１０２において、端末機器が、制御情報に基づいて、ＢＷＰに対して非活性化処理および／または活性化処理を実行する。
【００３３】
ここで、ＢＷＰは第１ＢＷＰおよび第２ＢＷＰを含む。ここで、第１ＢＷＰは活性化状態にあり、第２ＢＷＰは非活性化状態にある。
【００３４】
本発明の実施例では、端末機器は、制御情報に基づいて第２ＢＷＰに対して活性化処理を実行し、または端末機器は、制御情報に基づいて第２ＢＷＰに対して活性化処理を実行し、第１ＢＷＰに対して非活性化処理を実行し、または端末機器は、制御情報に基づいて第１ＢＷＰに対して非活性化処理を実行する。
【００３５】
本発明の実施例では、端末機器が少なくとも２つのＢＷＰを活性化する場合、少なくとも２つのパラメータセットの使用をサポートし、このように、様々なタイプのサービスを並列して伝送する時に、様々なサービスに対してパラメータセットをそれぞれ最適化することができ、スケジュールするのにより大きい柔軟性を提供して、サービス処理の速度を高めることができるだけでなく、さらに、ＢＷＰを切り替えると、端末は、スペクトルリソースを浪費することなく、データを伝送し続けることができる。
【００３６】
例示的な実施例１
ステップＳ２０１において、端末機器が、ユーザ機器によって送信されたＤＣＩを受信する。
【００３７】
ここで、前記ＤＣＩは第２ＢＷＰのインデックスを運び、前記ＤＣＩは、さらに、第１指示情報を運び、前記第１指示情報は、第２ＢＷＰを活性化する場合、第１ＢＷＰに対して非活性化を実行するかどうかを指示する。
【００３８】
いくつかの実施例において、第１指示情報は第１情報ドメインを含み、前記第１情報ドメインの値は、第２ＢＷＰを活性化する場合、第１ＢＷＰに対して非活性化を実行するかどうかを指示する。例示的に、第１情報ドメインは１ビットである。
【００３９】
ステップＳ２０２において、第１情報ドメインの値が第１値である場合、端末機器は、第２ＢＷＰに対して活性化処理を実行する時に、第１ＢＷＰに対して非活性化処理を実行し、第１情報ドメインの値が第２値である場合、端末機器は、第２ＢＷＰに対して活性化処理を実行する時に、第１ＢＷＰに対して非活性化処理を実行しない。
【００４０】
端末機器が第２ＢＷＰに対して活性化処理を実行する場合、第１ＢＷＰに対して非活性化処理を実行せず、第１ＢＷＰおよび第２ＢＷＰは、同時に活性化状態にある。このように、少なくとも２つのＢＷＰを同時に活性化して、少なくとも２つのパラメータセットの使用をサポートすることにより、様々なタイプのサービスを並列して伝送する時に、様々なサービスに対してパラメータセットをそれぞれ最適化することができ、スケジュールするのにより大きい柔軟性を提供して、サービス処理の速度を高めることができるだけでなく、さらに、ＢＷＰを切り替えると、端末は、スペクトルリソースを浪費することなく、データを伝送し続けることができる。
【００４１】
ここで、前記第１値を０に設定し、第２値を１に設定することができる。もちろん、第１値を１に設定し、第２値を０に設定する。
【００４２】
いくつかの実施例において、第１ＢＷＰに対して非活性化処理を実行する具体的な実現形態は、
１、活性化時間が最も早い第１ＢＷＰに対して非活性化処理を実行すること、
２、帯域幅部分のインデックス値が最も高い第１帯域幅部分に対して非活性化処理を実行すること、
３、帯域幅部分のインデックス値が最も低い第１ＢＷＰに対して非活性化処理を実行すること、
４、帯域幅が最も小さい第１ＢＷＰに対して非活性化処理を実行すること、
５、帯域幅が最も大きい第１ＢＷに対して非活性化処理を実行すること、
６、前記ＤＣＩを搬送する第１ＢＷＰに対いて非活性化処理を実行すること、
７、非活性化条件を満たす第１ＢＷＰに対して非活性化処理を実行することのうちの１つを含む。
【００４３】
ここで、非活性化条件は、特定のパラメータセット、例えば、現在３つの活性化されたＢＷＰがあり、対応するウェーブレットは、それぞれ、１５ＫＨｚ、１５ＫＨｚおよび６０ＫＨｚであり、ＤＣＩにおいて、第２ＢＷＰを活性化する同時に、第１ＢＷＰに対して非活性化を実行するかどうかを指示するための１ビットの値が０である場合、ウェーブレットが１５ＫＨｚであるＢＷＰセットを非活性化し、端末機器は、３つの活性化されたＢＷＰにおける、ウェーブレットが１５ＫＨｚである２つのＢＷＰに対して非活性化処理を実行する。具体的な非活性化する条件は、事前に構成され、またはネットワークによって構成されることができる。例えば、ネットワークは、１つの非活性化条件と第１情報ドメインの値の対応関係を構成し、表１に示す。
【００４４】
第１情報ドメインの値が００である場合、サブキャリア間隔が１５ｋＨｚである全てのＢＷＰを非活性化することを示し、第１情報ドメインの値が１０である場合、サブキャリア間隔が１５ｋＨｚおよび３０ｋＨｚである全てのＢＷＰを非活性化することを示し、第１情報ドメイン取値が１１である場合、ＢＷＰを非活性化しないことを示す。
【００４５】
【表１】
2021528008.tif 000003
【００４６】
例示的な実施例２
ステップＳ３０１において、端末機器が、ユーザ機器によって送信されたＤＣＩを受信する。
【００４７】
ここで、前記ＤＣＩは、１つのＢＷＰのインデックスを運び、前記ＤＣＩは、さらに、第２指示情報を運び、前記第２指示情報は、当該ＤＣＩによって運ばれるＢＷＰのインデックスに対応する第２ＢＷＰを活性化し、または当該ＤＣＩによって運ばれるＢＷＰのインデックスに対応する第１ＢＷＰを非活性化することを指示する。
【００４８】
ここで、第１ＢＷＰは活性化状態にあり、第２ＢＷＰは非活性化状態にある。
【００４９】
いくつかの実施例において、第２指示情報は第２情報ドメインを含み、前記第２情報ドメインの値は、第２ＢＷＰを活性化し、または第１ＢＷＰを非活性化することを指示する。例示的に、第２情報ドメインは１ビットである。
【００５０】
本発明の実施例では、ＤＣＩは、さらに、ＢＷＰのインデックスを運び、第２情報ドメインの値が０である場合、ＤＣＩによって運ばれるＢＷＰのインデックスに対応するＢＷＰに対して活性化処理を実行することを表し、第２情報ドメインの値が１である場合、ＤＣＩによって運ばれるＢＷＰのインデックスに対応するＢＷＰに対して非活性化処理を実行することを表す。
【００５１】
ステップＳ３０２において、第２情報ドメインの値が第１値である場合、端末機器は、当該ＤＣＩによって運ばれるＢＷＰのインデックスに対応する第２ＢＷＰに対して活性化処理を実行し、第２情報ドメインの値が第２値である場合、端末機器は、当該ＤＣＩによって運ばれるＢＷＰのインデックスに対応する第１ＢＷＰに対して非活性化処理を実行する。
【００５２】
ここで、第１値を０に設定し、第２値を１に設定する。
【００５３】
例示的な実施例３
ステップＳ４０１において、端末機器が、ネットワーク機器によって送信されたＤＣＩを受信し、ＤＣＩは、２つのＢＷＰのインデックスを運ぶ。
【００５４】
本発明の実施例では、端末機器によって受信されたＤＣＩは、第１ＢＷＰのインデックスおよび第２ＢＷＰのインデックスを運び、各ＢＷＰのインデックスは、ＤＣＩにおいてＮ個のビットを占有し、ここで、第２ＢＷＰのインデックスは、非活性化された第１ＢＷＰ指示する、第１ＢＷＰのインデックスは、活性化された第２ＢＷＰを指示する。
【００５５】
ステップＳ４０２において、端末機器が、ＤＣＩに従って、ＢＷＰに対して活性化処理または非活性化処理を実行する。
【００５６】
いくつかの実施形態において、ＢＷＰのインデックスに対応するビットの値がプリセットの状態である場合、当該インデックスに対応するＢＷＰに対していかなる処理も実行しないことを表す。例を挙げると、第１ＢＷＰのインデックスのＮ個のビットの値の全てが１である場合、第２ＢＷＰに対して活性化処理を実行しないことを示す。第２ＢＷＰのインデックスのＮ個のビットの値の全てが１である場合、第１ＢＷＰに対して非活性化処理を実行しないことを表す。もちろん、ＢＷＰのインデックスに対応するビットの値の全てを０に設定するか、他の状態に設定することにより、当該インデックスに対応するＢＷＰに対していかなる処理も実行しないことを表すこともできる。
【００５７】
いくつかの実施例において、第１帯域幅部分のインデックスは、第４情報ドメインを含み、第２帯域幅部分のインデックスは、第５情報ドメインを含む。第４情報ドメインの値が第１値である場合、端末機器は、第２ＢＷＰに対して活性化処理を実行するが、第１ＢＷＰに対して非活性化処理を実行しない。第５情報ドメインの値が第２値である場合、端末機器は、第１ＢＷＰに対して非活性化処理を実行するが、第２ＢＷＰに対して活性化処理を実行しない。例示的に、第１値を１に設定し、第２値を０に設定する。
【００５８】
本発明の実施例では、端末機器によって受信されたＤＣＩは、さらに、複数のＢＷＰのインデックスを運ぶことができ、ＤＣＩが少なくとも２つのＢＷＰのインデックスを運ぶ場合、端末機器は、２つ以上のＢＷＰのインデックスを活性化状態にあり、このように、少なくとも２つのパラメータセットの使用をサポートすることができ、様々なタイプのサービスを並列して伝送する時に、様々なサービスに対してパラメータセットをそれぞれ最適化することができ、スケジュールするのにより大きい柔軟性を提供して、サービス処理の速度を高めることができるだけでなく、さらに、ＢＷＰを切り替えると、端末は、スペクトルリソースを浪費することなく、データを伝送し続けることができる。
【００５９】
例示的な実施例４
ステップＳ５０１において、端末機器が、ネットワーク機器によって送信されたＤＣＩを受信し、ＤＣＩは１つのビットマップを運ぶ。
【００６０】
本発明の実施例では、ＤＣＩによって運ばれるビットマップは、複数のＢＷＰを同時に活性化および／または非活性化するために使用される。
【００６１】
いくつかの実施形態において、ネットワーク機器は、端末機器に対してＭ個のＢＷＰを構成し、Ｍは、１より大きいか等しい正の整数であり、ＤＣＩは、長さがＭである１つのビットマップを運び、当該ビットマップにおける各ビットは、それぞれ、１つのＢＷＰに対応し、ビットマップにおける１つのビットの値が１である場合、当該ビットに対応するＢＷＰを活性化することを表し、ビットマップにおける１つのビットの値が０である場合、当該ビットに対応するＢＷＰを非活性化することを表す。
【００６２】
ステップＳ５０２において、端末機器が、ビットマップに従って、ＢＷＰに対して活性化処理または非活性化処理を実行する。
【００６３】
いくつかの実施形態において、ビットマップにおける１つのビットの値が１である場合、端末機器は、当該ビットに対応するＢＷＰを活性化し、ビットマップにおける１つのビットの値が０である場合、端末機器は、当該ビットに対応するＢＷＰを非活性化する。
【００６４】
例示的な実施例５
ステップＳ６０１において、端末機器が、ネットワーク機器によって送信されたＤＣＩを受信する。
【００６５】
ステップＳ６０２において、端末機器が、受信したＤＣＩをデコーディングして、対応するスクランブリングコードシーケンスを取得する。
【００６６】
本発明の実施例では、端末機器が、ネットワーク機器と事前に規定したデコーディング方式に従ってＤＣＩをデコーディングして、対応するスクランブリングコードシーケンスを取得する。
【００６７】
ステップＳ６０３において、端末機器が、取得したスクランブリングコードシーケンスに基づいて、プリセットされたスクランブリングコードシーケンスと帯域幅部分のインデックスとの第１マッピング関係で帯域幅部分のインデックスをマッチングする。
【００６８】
本発明の実施例では、スクランブリングコードシーケンスと帯域幅部分のインデックスとの第１マッピング関係を事前に設定したため、端末機器は、スクランブリングコードシーケンスと帯域幅部分のインデックスとの第１マッピング関係において、マスクシーケンスに対応する帯域幅部分のインデックスを取得することができる。
【００６９】
ステップＳ６０４において、マッチングして取得した帯域幅部分のインデックスに対応する帯域幅部分に対して非活性化処理または活性化処理を実行する。
【００７０】
いくつかの実施形態において、マッチングして取得した帯域幅のインデックスに対応する帯域幅部分が非活性化状態にある場合、当該帯域幅部分に対して活性化処理を実行し、マッチングして取得した帯域幅のインデックスに対応する帯域幅部分が活性化状態にある場合、当該帯域幅部分に対して非活性化処理を実行する。
【００７１】
例示的な実施例６
ステップＳ７０１において、端末機器が、ネットワーク機器によって送信されたＤＣＩを受信する。
【００７２】
ステップＳ７０２、端末機器が、受信したＤＣＩをデコーディングして、対応するマスクシーケンスを取得する。
【００７３】
本発明の実施例では、端末機器が、ネットワーク機器と事前に規定したデコーディング方式に従ってＤＣＩをデコーディングして、対応するマスクシーケンスを取得する。
【００７４】
ステップＳ７０３において、端末機器が、取得したマスクシーケンスに基づいて、プリセットされたマスクシーケンスと帯域幅部分のインデックスとの第１マッピング関係で帯域幅部分のインデックスをマッチングする。
【００７５】
本発明の実施例では、マスクシーケンスと帯域幅部分のインデックスとの第２マッピング関係を事前に設定したため、端末機器は、マスクシーケンスと帯域幅部分のインデックスとの第２マッピング関係において、マスクシーケンスに対応する帯域幅部分のインデックスを取得することができる。
【００７６】
ステップＳ７０４において、マッチングして取得した帯域幅部分のインデックスに対応する帯域幅部分に対して非活性化処理または活性化処理を実行する。
【００７７】
いくつかの実施形態において、マッチングして取得した帯域幅のインデックスに対応する帯域幅部分が非活性化状態にある場合、当該帯域幅部分に対して活性化処理を実行し、マッチングして取得した帯域幅のインデックスに対応する帯域幅部分が活性化状態にある場合、当該帯域幅部分に対して非活性化処理を実行する。
【００７８】
例示的な実施例７
ステップＳ８０１において、端末機器が、ネットワーク機器によって送信されたＤＣＩを受信する。
【００７９】
ステップＳ８０２において、端末機器が、当該ＤＣＩの制御リソースセットを決定する。
【００８０】
ステップＳ８０３において、端末機器が、前記制御リソースセットに基づいて、プリセットされた制御リソースセットと帯域幅部分のインデックスとの第３マッピング関係で帯域幅部分のインデックスをマッチングする。
【００８１】
ステップＳ８０４において、端末機器が、マッチングして取得した帯域幅部分のインデックスに対応する帯域幅部分に対して非活性化処理または活性化処理を実行する。
【００８２】
いくつかの実施形態において、マッチングして取得した帯域幅のインデックスに対応する帯域幅部分が非活性化状態にある場合、当該帯域幅部分に対して活性化処理を実行し、マッチングして取得した帯域幅のインデックスに対応する帯域幅部分が活性化状態にある場合、当該帯域幅部分に対して非活性化処理を実行する。
【００８３】
例示的な実施例８
ステップＳ９０１において、端末機器が、ネットワーク機器によって送信されたＤＣＩを受信する。
【００８４】
ステップＳ９０２において、端末機器が、当該ＤＣＩを搬送するサーチスペースを決定する。
【００８５】
ステップＳ９０３、端末機器が、前記サーチスペースに基づいて、プリセットされたサーチスペースと帯域幅部分のインデックスとの第４マッピング関係で帯域幅部分のインデックスをマッチングする。
【００８６】
ステップＳ９０４において、マッチングして取得した帯域幅部分のインデックスに対応する帯域幅部分に対して非活性化処理または活性化処理を実行する。
【００８７】
いくつかの実施形態において、マッチングして取得した帯域幅のインデックスに対応する帯域幅部分が非活性化状態にある場合、当該帯域幅部分に対して活性化処理を実行し、マッチングして取得した帯域幅のインデックスに対応する帯域幅部分が活性化状態にある場合、当該帯域幅部分に対して非活性化処理を実行する。
【００８８】
例示的な実施例９
ステップＳ１００１において、端末機器が、ネットワーク機器によって開始されたＤＣＩを受信する。
【００８９】
ステップＳ１００２において、端末機器が、当該ＤＣＩが使用するＤＭＲＳシーケンスを決定する。
【００９０】
ステップＳ１００３において、端末機器が、前記ＤＭＲＳシーケンスに基づいて、プリセットされた復調基準信号シーケンスと帯域幅部分のインデックスとの第５マッピング関係で帯域幅部分のインデックスをマッチングする。
【００９１】
ステップＳ１００４において、端末機器が、前記帯域幅部分のインデックスに対応する帯域幅部分に対して非活性化処理または活性化処理を実行する。
【００９２】
いくつかの実施形態において、マッチングして取得した帯域幅のインデックスに対応する帯域幅部分が非活性化状態にある場合、当該帯域幅部分に対して活性化処理を実行し、マッチングして取得した帯域幅のインデックスに対応する帯域幅部分が活性化状態にある場合、当該帯域幅部分に対して非活性化処理を実行する。
【００９３】
本発明実施例は、ＤＣＩが配置されたサーチスペースまたはリソース制御セット内で異なるＤＭＲＳシーケンスを使用することにより、ＢＷＰに対する活性化または非活性化を実現する。
【００９４】
本発明実施例で提供する、ネットワーク機器に適用される帯域幅部分処理方法の例示的なプロセスは、
ネットワーク機器が、制御情報を送信することを含み、前記制御情報は、端末機器が帯域幅部分に対して非活性化処理および／または活性化処理を実行するために使用される。
【００９５】
いくつかの実施例において、前記制御情報はダウンリンク制御情報であり、前記ダウンリンク制御情報は第１指示情報を運び、前記第１指示情報は、第２帯域幅部分を活性化させる時に、第１帯域幅部分に対して非活性化処理を実行するかどうかを指示する。前記第１指示情報は第１情報ドメインを含み、前記第１情報ドメインの値は、前記第１帯域幅部分に対して非活性化処理を実行し、または前記第１帯域幅部分に対して非活性化処理を実行しないことを指示する。
【００９６】
または、前記制御情報はダウンリンク制御情報であり、前記ダウンリンク制御情報は第２指示情報を運び、前記第２指示情報は、第２帯域幅部分に対して活性化処理を実行し、および／または第１帯域幅部分に対して非活性化処理を実行することを指示する。前記第２指示情報が第２情報ドメインを含む場合、前記第２情報ドメインの値は、前記第２帯域幅部分に対して活性化処理を実行し、および／または前記第１帯域幅部分に対して非活性化処理を実行することを指示する。前記第２指示情報は第３情報ドメインを含み、且つ前記第３情報ドメインがビットマップである場合、前記ビットマップにおける各ビットの値は、第２帯域幅部分に対して活性化処理を実行し、および／または前記第１帯域幅部分に対して非活性化処理を実行することを指示する。
【００９７】
または、前記ダウンリンク制御情報は、少なくとも、第１帯域幅部分のインデックスおよび第２帯域幅部分のインデックスを運び、前記第２帯域幅部分のインデックスは、第２帯域幅部分に対して活性化処理を実行することを指示し、前記第１帯域幅部分のインデックスは、第１帯域幅部分に対して非活性化処理を実行することを指示する。
【００９８】
または、前記第１帯域幅部分のインデックスに含まれた第４情報ドメインの値が第１値である場合、前記第２帯域幅部分に対して活性化処理を実行することを指示し、前記第２帯域幅部分のインデックスに含まれた第５情報ドメインの値が第２値である場合、前記第１帯域幅部分に対して非活性化処理を実行することを指示する。
【００９９】
または、前記制御情報はダウンリンク制御情報であり、前記ダウンリンク制御情報に対応するスクランブリングコードシーケンス、およびスクランブリングコードシーケンスと帯域幅部分のインデックスとの第１マッピング関係は、帯域幅のインデックスに対応する帯域幅部分に対して非活性化処理および／または活性化処理を実行することを指示する。
【０１００】
または、前記制御情報はダウンリンク制御情報であり、前記ダウンリンク制御情報に対応するマスクシーケンス、およびマスクシーケンスと帯域幅部分のインデックスとの第２マッピング関係は、帯域幅のインデックスに対応する帯域幅部分に対して非活性化処理および／または活性化処理を実行することを指示する。
【０１０１】
または、前記制御情報が配置されたリソース制御セット、および制御リソースセットと帯域幅部分のインデックスとの第３マッピング関係は、帯域幅のインデックスに対応する帯域幅部分に対して非活性化処理および／または活性化処理を実行することを指示する。
【０１０２】
または、前記制御情報が配置されたサーチスペース、およびサーチスペースと帯域幅部分のインデックスとの第４マッピング関係は、帯域幅のインデックスに対応する帯域幅部分に対して非活性化処理および／または活性化処理を実行することを指示する。
【０１０３】
または、前記制御情報が使用する復調基準信号シーケンス、および復調基準信号シーケンスと帯域幅部分のインデックスとの第５マッピング関係は、帯域幅のインデックスに対応する帯域幅部分に対して非活性化処理および／または活性化処理を実行することを指示する。
【０１０４】
図４は、本願実施例で提供する、通信システムに適用される帯域幅部分処理方法の代替的な処理の例示的なフローチャートであり、前記方法は、次のステップを含む。
【０１０５】
ステップＳ１１０１において、ネットワーク機器が、制御情報を端末機器に送信する。
【０１０６】
ここで、前記制御情報は、端末機器が帯域幅部分に対して非活性化処理および／または活性化処理を実行するために使用される。
【０１０７】
ステップＳ１１０２において、端末機器は、制御情報を受信する。
【０１０８】
ステップＳ１１０３において、端末機器は、制御情報に基づいて、ＢＷＰに対して非活性化処理および／または活性化処理を実行する。
【０１０９】
ここで、ＢＷＰは第１ＢＷＰおよび第２ＢＷＰを含む。ここで、第１ＢＷＰは活性化状態にあり、第２ＢＷＰは非活性化状態にある。
【０１１０】
本発明の実施例では、端末機器は、制御情報に基づいて第２ＢＷＰに対して活性化処理を実行し、または端末機器は、制御情報に基づいて第２ＢＷＰに対して活性化処理を実行し、第１ＢＷＰに対して非活性化処理を実行し、または端末機器は、制御情報に基づいて第１ＢＷＰに対して非活性化処理を実行する。
【０１１１】
上記の全ての実施例において、特定の帯域幅部分が活性化状態にある場合、端末機器が当該帯域幅部分に対して非活性化を実行する制御情報を受信した場合、端末機器は、当該帯域幅部分に対して非活性化処理を実行し、端末機器が当該帯域幅部分に対して活性化を実行する制御情報を受信した場合、端末機器は、当該帯域幅部分に対して活性化処理を実行し、または端末機器は、当該活性化情報を省略することを理解されたい。
【０１１２】
上記の全ての実施例において、特定の帯域幅部分が非活性化状態にある場合、端末機器が当該帯域幅部分に対して活性化を実行する制御情報を受信した場合、端末機器は、当該帯域幅部分に対して活性化処理を実行し、端末機器が当該帯域幅部分に対して非活性化を実行する制御情報を受信した場合、端末機器は、当該帯域幅部分に対して非活性化処理を実行し、または端末機器は、当該非活性化情報を省略することを理解されたい。
【０１１３】
上記の帯域幅部分処理方法に基づき、本発明の実施例は、端末機器をさらに提供し、前記端末機器１の構造的構成は、図５に示す。
【０１１４】
受信ユニット１０は、制御情報を受信するように構成され、
処理ユニット１１は、前記制御情報に基づいて、帯域幅部分に対して非活性化処理および／または活性化処理を実行するように構成される。
【０１１５】
一実施例において、前記制御情報はダウンリンク制御情報であり、前記ダウンリンク制御情報は第１指示情報を運び、前記第１指示情報は、第２帯域幅部分を活性化させる時に、第１帯域幅部分に対して非活性化処理を実行するかどうかを指示する。
【０１１６】
一実施例において、前記第１指示情報は第１情報ドメインを含み、前記処理ユニットは、前記第２帯域幅部分を活性化する時に、前記第１情報ドメインの値に基づいて、前記第１帯域幅部分に対して非活性化処理を実行し、または前記第１帯域幅部分に対して非活性化処理を実行しないように構成される。
【０１１７】
一実施例において、前記処理ユニット１１は、前記第１情報ドメインが第１値である場合、前記第２帯域幅部分を活性化する時に、前記第１帯域幅部分に対して非活性化処理を実行し、
前記第１情報ドメインが第２値である場合、前記第２帯域幅部分を活性化する時に、不前記第１帯域幅部分に対して非活性化処理を実行するように構成される。
【０１１８】
一実施例において、前記処理ユニット１１は、活性化時間が最も早い第１帯域幅部分に対して非活性化処理を実行し、
または帯域幅部分のインデックス値が最も高い第１帯域幅部分に対して非活性化処理を実行し、
または帯域幅部分のインデックス値が最も低い第１帯域幅部分に対して非活性化処理を実行し、
または帯域幅が最も小さい第１帯域幅部分に対して非活性化処理を実行し、
または帯域幅が最も大きい第１帯域幅部分に対して非活性化処理を実行し、
または前記ダウンリンク制御情報を搬送する第１帯域幅部分に対して非活性化処理を実行し、
または非活性化条件を満たす第１帯域幅部分に対して非活性化処理を実行するように構成される。
【０１１９】
一実施例において、前記制御情報はダウンリンク制御情報であり、前記ダウンリンク制御情報は第２指示情報を運び、前記第２指示情報は、第２帯域幅部分に対して活性化処理を実行し、および／または第１帯域幅部分に対して非活性化処理を実行することを指示する。
【０１２０】
一実施例において、前記第２指示情報は第２情報ドメインを含み、前記処理ユニット１１は、前記第２情報ドメインの値に基づいて、前記第２帯域幅部分に対して活性化処理を実行し、および／または前記第１帯域幅部分に対して非活性化処理を実行するように構成される。
【０１２１】
一実施例において、前記処理ユニット１１は、前記第２情報ドメインが第１値である場合、前記第２帯域幅部分に対して活性化処理を実行し、
前記第２情報ドメインが第２値である場合、前記第１帯域幅部分に対して非活性化処理を実行するように構成される。
【０１２２】
一実施例において、前記第２指示情報は第３情報ドメインを含み、前記第３情報ドメインがビットマップである場合、
前記処理ユニット１１は、前記ビットマップにおける各ビットの値に基づいて、第２帯域幅部分に対して活性化処理を実行し、および／または前記第１帯域幅部分に対して非活性化処理を実行するように構成される。
【０１２３】
一実施例において、前記処理ユニット１１は、前記ビットの値が第１値である場合、前記ビットに対応する第２帯域幅部分に対して活性化処理を実行し、
前記ビットの値が第２値である場合、前記ビットに対応する第１帯域幅部分に対して非活性化処理を実行するように構成される。
【０１２４】
一実施例において、前記ダウンリンク制御情報は、少なくとも、第１帯域幅部分のインデックスおよび第２帯域幅部分のインデックスを運び、
前記処理ユニット１１は、前記第２帯域幅部分のインデックスに基づいて、第２帯域幅部分に対して活性化処理を実行し、前記第１帯域幅部分のインデックスに基づいて、第１帯域幅部分に対して非活性化処理を実行するように構成される。
【０１２５】
一実施例において、前記処理ユニット１１は、前記第１帯域幅部分のインデックスに含まれた第４情報ドメインの値が第１値である場合、前記第２帯域幅部分に対して活性化処理を実行し、
前記第２帯域幅部分のインデックスに含まれた第５情報ドメインの値が第２値である場合、前記第１帯域幅部分に対して非活性化処理を実行するように構成される。
【０１２６】
一実施例において、前記制御情報はダウンリンク制御情報であり、前記処理ユニット１１は、前記ダウンリンク制御情報をデコーディングして、対応するスクランブリングコードシーケンスを取得し、
取得したスクランブリングコードシーケンスおよび第１マッピング関係に基づいて、帯域幅のインデックスを決定し、
前記帯域幅のインデックスに対応する帯域幅部分に対して非活性化処理および／または活性化処理を実行するように構成され、前記第１マッピング関係は、スクランブリングコードシーケンスと帯域幅部分のインデックスとのマッピング関係である。
【０１２７】
一実施例において、前記制御情報はダウンリンク制御情報であり、前記処理ユニット１１は、前記ダウンリンク制御情報をデコーディングして、対応するマスクシーケンスを取得し、
取得したマスクシーケンスおよび第２マッピング関係に基づいて、帯域幅のインデックスを決定し、
前記帯域幅のインデックスに対応する帯域幅部分に対して非活性化処理および／または活性化処理を実行するように構成され、前記第２マッピング関係は、マスクシーケンスと帯域幅部分のインデックスとのマッピング関係である。
【０１２８】
一実施例において、前記処理ユニット１１は、前記制御情報が配置された制御リソースセットを決定し、
前記制御リソースセットおよび第３マッピング関係に基づいて、帯域幅のインデックスを決定し、
前記帯域幅のインデックスに対応する帯域幅部分に対して非活性化処理および／または活性化処理を実行するように構成され、前記第３マッピング関係は、制御リソースセットと帯域幅部分のインデックスとのマッピング関係である。
【０１２９】
一実施例において、前記処理ユニット１１は、前記制御情報が配置されたサーチスペースを決定し、
前記制御リソースセットおよび第４マッピング関係に基づいて、帯域幅のインデックスを決定し、
前記帯域幅のインデックスに対応する帯域幅部分に対して非活性化処理および／または活性化処理を実行するように構成され、前記第４マッピング関係は、サーチスペースと帯域幅部分のインデックスとのマッピング関係である。
【０１３０】
一実施例において、前記処理ユニット１１は、前記制御情報が使用する復調基準信号シーケンスを決定し、
前記復調基準信号シーケンスおよび第５マッピング関係に基づいて、帯域幅のインデックスを決定し、
前記帯域幅のインデックスに対応する帯域幅部分に対して非活性化処理および／または活性化処理を実行するように構成され、前記第５マッピング関係は、復調基準信号シーケンスと帯域幅部分のインデックスとのマッピング関係である。
【０１３１】
上記の帯域幅部分処理方法に基づき、本発明の実施例は、ネットワーク機器をさらに提供し、前記ネットワーク機器２の構造的構成は、図６に示す。
【０１３２】
送信ニット２０は、制御情報を送信するように構成され、前記制御情報は、端末機器が、帯域幅部分に対して非活性化処理および／または活性化処理を実行するために使用される。
【０１３３】
一実施例において、前記制御情報はダウンリンク制御情報であり、前記ダウンリンク制御情報は第１指示情報を運び、前記第１指示情報は、第２帯域幅部分を活性化させる時に、第１帯域幅部分に対して非活性化処理を実行するかどうかを指示する。
【０１３４】
一実施例において、前記第１指示情報は第１情報ドメインを含み、前記第１情報ドメインの値は、前記第１帯域幅部分に対して非活性化処理を実行し、または前記第１帯域幅部分に対して非活性化処理を実行しないことを指示する。
【０１３５】
一実施例において、前記制御情報はダウンリンク制御情報であり、前記ダウンリンク制御情報は第２指示情報を運び、前記第２指示情報は、第２帯域幅部分に対して活性化処理を実行し、および／または第１帯域幅部分に対して非活性化処理を実行することを指示する。
【０１３６】
一実施例において、前記第２指示情報は第２情報ドメインを含み、前記第２情報ドメインの値は、前記第２帯域幅部分に対して活性化処理を実行し、および／または前記第１帯域幅部分に対して非活性化処理を実行することを指示する。
【０１３７】
一実施例において、前記第２指示情報は第３情報ドメインを含み、前記第３情報ドメインがビットマップである場合、前記ビットマップにおける各ビットの値は、第２帯域幅部分に対して活性化処理を実行し、および／または前記第１帯域幅部分に対して非活性化処理を実行することを指示する。
【０１３８】
一実施例において、前記ダウンリンク制御情報は、少なくとも、第１帯域幅部分のインデックスおよび第２帯域幅部分のインデックスを運び、
前記第２帯域幅部分のインデックスは、第２帯域幅部分に対して活性化処理を実行することを指示し、前記第１帯域幅部分のインデックスは、第１帯域幅部分に対して非活性化処理を実行することを指示する。
【０１３９】
一実施例において、前記第１帯域幅部分のインデックスに含まれた第４情報ドメインの値が第１値である場合、前記第２帯域幅部分に対して活性化処理を実行することを指示し、
前記第２帯域幅部分のインデックスに含まれた第５情報ドメインの値が第２値である場合、前記第１帯域幅部分に対して非活性化処理を実行することを指示する。
【０１４０】
一実施例において、前記制御情報はダウンリンク制御情報であり、前記ダウンリンク制御情報に対応するスクランブリングコードシーケンス、およびスクランブリングコードシーケンスと帯域幅部分のインデックスとの第１マッピング関係は、帯域幅のインデックスに対応する帯域幅部分に対して非活性化処理および／または活性化処理を実行することを指示する。
【０１４１】
一実施例において、前記制御情報はダウンリンク制御情報であり、前記ダウンリンク制御情報に対応するマスクシーケンス、およびマスクシーケンスと帯域幅部分のインデックスとの第２マッピング関係は、帯域幅のインデックスに対応する帯域幅部分に対して非活性化処理および／または活性化処理を実行することを指示する。
【０１４２】
一実施例において、前記制御情報が配置されたリソース制御セット、および制御リソースセットと帯域幅部分のインデックスとの第３マッピング関係は、帯域幅のインデックスに対応する帯域幅部分に対して非活性化処理および／または活性化処理を実行することを指示する。
【０１４３】
一実施例において、前記制御情報が配置されたサーチスペース、およびサーチスペースと帯域幅部分のインデックスとの第４マッピング関係は、帯域幅のインデックスに対応する帯域幅部分に対して非活性化処理および／または活性化処理を実行することを指示する。
【０１４４】
一実施例において、前記制御情報が使用する復調基準信号シーケンス、および復調基準信号シーケンスと帯域幅部分のインデックスとの第５マッピング関係は、帯域幅のインデックスに対応する帯域幅部分に対して非活性化処理および／または活性化処理を実行することを指示する。
【０１４５】
図７は、本願実施例で提供される通信機器６００の概略的な構造図である。図７に示された通信機器６００はプロセッサ６１０を備え、プロセッサ６１０は、本願実施例における方法を実現するために、メモリからコンピュータプログラムを呼び出して実行することができる。
【０１４６】
例示的に、図７に示された、通信機器６００は、メモリ６２０をさらに備えることができる。ここで、プロセッサ６１０は、本願実施例における方法を実現するために、メモリ６２０からコンピュータプログラムを呼び出して実行することができる。
【０１４７】
ここで、メモリ６２０は、プロセッサ６１０から独立した１つ独立的なデバイスであってもよく、プロセッサ６１０に統合されてもよい。
【０１４８】
例示的に、図７に示されたように、通信機器６００は、トランシーバ６３０をさらに備え、プロセッサ６１０は、当該トランシーバ６３０を制御して他の機器と通信することができ、具体的に、情報またはデータを他の機器に送信し、または他の機器によって送信された情報またはデータを受信することができる。
【０１４９】
ここで、トランシーバ６３０は、送信機および受信機を備えることができる。トランシーバ６３０は、アンテナをさらに備え、アンテナの数は１つまたは複数であってもよい。
【０１５０】
例示的に、当該通信機器６００は、具体的に、本願実施例のモバイル端末／端末機器であってもよく、当該通信機器６００は、本願実施例の各方法のモバイル端末／端末機器によって実現される対応するプロセスを実現することができ、簡潔のために、ここでは繰り返して説明しない。
【０１５１】
図８は、本願実施例のチップの例示的な構造図である。図８に示されたチップ７００はプロセッサ７１０を備え、プロセッサ７１０は、本願実施例における方法を実現するために、メモリからコンピュータプログラムを呼び出して実行することができる。
【０１５２】
例示的に、図８に示されたように、チップ７００は、メモリ７２０をさらに備えることができる。ここで、プロセッサ７１０は、本願実施例における方法を実現するために、メモリ７２０からコンピュータプログラムを呼び出して実行することができる。
【０１５３】
ここで、メモリ７２０は、プロセッサ７１０から独立した１つ独立的なデバイスであってもよく、プロセッサ７１０に統合されてもよい。
【０１５４】
例示的に、当該チップ７００は、入力インターフェース７３０をさらに備えることができる。ここで、プロセッサ７１０は、当該入力インターフェース７３０を制御して他の機器またはチップと通信することができ、具体的に、他の機器またはチップによって送信された情報またはデータを取得することができる。
【０１５５】
例示的に、当該チップ７００は、出力インターフェース７４０をさらに備えることができる。ここで、プロセッサ７１０は、当該出力インターフェース７４０を制御して他の機器またはチップと通信することができ、具体的に、他の機器またはチップに情報またはデータを出力することができる。
【０１５６】
例示的に、当該チップは、本願実施例におけるネットワーク機器に適用されてもよく、さらに、当該チップは、本願実施例の各方法における、ネットワーク機器によって実現される対応するプロセスを実現することができ、簡潔のために、ここでは繰り返して説明しない。
【０１５７】
例示的に、当該チップは、本願実施例におけるモバイル端末／端末機器に適用されてもよく、さらに、当該チップは、本願実施例の各方法のモバイル端末／端末機器によって実現される対応するプロセスを実現することができ、簡潔のために、ここでは繰り返せいて説明しない。
【０１５８】
本願実施例で言及されるチップはシステムオンチップ、システムチップ、チップシステムまたはシステムオンチップなどとも称し得ることを理解されたい。
【０１５９】
図９は、本願実施例で提供された通信システム９００の例示的なブロック図である。図９に示されたように、当該通信システム９００は、端末機器９１０およびネットワーク機器９２０を備える。
【０１６０】
ここで、当該端末機器９１０は、上記の方法の、端末機器によって実現される対応する機能を実現するように構成されることができ、および当該ネットワーク機器９２０は、上述の方法の、ネットワーク機器によって実現される対応する機能を実現することができ、簡潔のために、ここでは繰り返して説明しない。
【０１６１】
本願実施例におけるプロセッサは、信号の処理能力を備えた集積回路チップであり得ることを理解されたい。実現プロセスにおいて、上記した方法の実施例の各ステップは、プロセッサにおけるハードウェアの集積論理回路またはソフトウェアの形の命令によって完了されることができる。上述のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアコンポーネントなどであってもよい。本開示の実施例で開示された各方法、ステップおよび論理ブロック図を実現または実行することができる。汎用プロセッサは、マイクロプロセッサであってもよく、または当該プロセッサは任意の従来のプロセッサなどであってもよい。本願実施例を組み合たせて開示された方法のステップは、ハードウェア復号化プロセッサによって実行されて完了すると直接に具現されることができ、または復号化プロセッサにおけるハードウェアおよびソフトウェアモジュールの組み合わせによって実行されて完了してもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど当技術分野の熟知する記憶媒体に配置されてもよい。当該記憶媒体はメモリに配置され、プロセッサはメモリの情報を読み取り、そのハードウェアと組み合わせて前記方法のステップを完了する。
【０１６２】
本願実施例におけるメモリは、揮発性メモリまたは不揮発性メモリであってもよく、または揮発性および不揮発性メモリの両方を含んでもよいことを理解されたい。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが制限的ではない説明を通じて、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭを使用することができる。本明細書で説明するシステムおよび方法のメモリは、これらおよび任意の他の適切なタイプのメモリを含むが、これらに限定されないことを意図することを留意されたい。
【０１６３】
上記したメモリは、例示的であるが制限的な説明ではなく、例えば、本願実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）などであってもよいことを理解されたい。即ち、本願実施例におけるメモリは、これらおよび任意の他の適切なタイプのメモリを含むが、これらに限定されないことを意図する。
【０１６４】
本願実施例は、コンピュータプログラムを記憶するために使用される、コンピュータ読み取り可能な記憶媒体をさらに提供する。
【０１６５】
例示的に、当該コンピュータ読み取り可能な記憶媒体は、本願実施例におけるネットワーク機器に適用されることができ、さらに、当該コンピュータプログラムは、コンピュータが本願実施例の各方法のネットワーク機器によって実現される対応するプロセスを実行するようにし、簡潔のために、ここでは繰り返して説明しない。
【０１６６】
例示的に、当該コンピュータ読み取り可能な記憶媒体は、本願実施例におけるモバイル端末／端末機器に適用されることができ、さらに、当該コンピュータプログラムは、コンピュータが本願実施例の各方法のモバイル端末／端末機器によって実現される対応するプロセスを実行するようにし、簡潔のために、ここでは繰り返して説明しない。
【０１６７】
本願実施例は、コンピュータプログラム命令を含むコンピュータプログラム製品をさらに提供する。
【０１６８】
例示的に、当該コンピュータプログラム製品は、本願実施例におけるネットワーク機器に適用されることができ、さらに、当該コンピュータプログラム命令は、コンピュータが本願実施例の各方法のネットワーク機器によって実現される対応するプロセスを実行するようにし、簡潔のために、ここでは繰り返して説明しない。
【０１６９】
例示的に、当該コンピュータプログラム製品は、本願実施例のモバイル端末／端末機器に適用されることができ、当該コンピュータプログラム命令は、コンピュータが本願実施例の各方法のモバイル端末／端末機器によって実現される対応するプロセスを実行するようにし、簡潔のために、ここでは繰り返して説明しない。
【０１７０】
本願実施例は、コンピュータプログラムをさらに提供する。
【０１７１】
例示的に、当該コンピュータプログラムは、本願実施例におけるネットワーク機器に適用されることができ、当該コンピュータプログラムがコンピュータによって実行される時に、コンピュータが本願実施例の各方法のネットワーク機器によって実現される対応するプロセスを実行するようにし、簡潔のために、ここでは繰り返して説明しない。
【０１７２】
例示的に、当該コンピュータプログラムは、本願実施例のモバイル端末／端末機器に適用されることができ、当該コンピュータプログラムがコンピュータで実行される場合、コンピュータが本願実施例の各方法のモバイル端末／端末機器によって実現される対応するプロセスを実行するようにし、簡潔のために、ここでは繰り返して説明しない。
【０１７３】
当業者は、本明細書で開示された実施例と組み合わせて説明された各例示のユニットおよびアルゴリズムステップが、電子ハードウェア、またはコンピュータソフトウェアおよび電子ハードウェアの組み合わせによって実現されることができることを理解するであろう。これらの機能がハードウェアの形で実行されるかソフトウェアの形で実行されるかは、技術的解決策の特定のアプリケーションと設計上の制約条件に依存する。専門技術者は、各特定の応用に対して異なる方法を使用して、説明された機能を実現することができるが、このような実現は本開示の範囲を超えると見なされるべきではない。
【０１７４】
当業者は、説明の便宜上および簡潔にするために、上記に説明されたシステム、装置およびユニットの具体的な作業プロセスは、上記の方法の実施例における対応するプロセスを参照することができることを明確に理解することができ、ここでは繰り返して説明しない。
【０１７５】
本願で提供されたいくつかの実施例において、開示されたシステム、装置および方法は、他の方法を通じて実現され得ることを理解されたい。例えば、上記で説明された装置の実施例は例示的なものに過ぎず、例えば、当該ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した間接的な結合または通信接続であり得る。
【０１７６】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズにしたがって、その中のユニットの一部または全部を選択して本実施例の技術案の目的を実現することができる。
【０１７７】
また、本願の各実施例における各機能ユニットを一つの処理ユニットに統合してもよく、各ユニットを別々に１つのユニットとして使用してもよく、２つ以上のユニットを１つのユニットに統合してもよい。
【０１７８】
前記機能は、ソフトウェア機能ユニットの形で実現され、スタンドアロン製品として販売または使用される場合、コンピュータ読み取り可能な記憶媒体に記憶されることができる。このような理解に基づいて、本願の技術的解決策は、本質的にまたは先行技術に対して寄与する部分または当該技術的解決策の一部は、ソフトウェア製品の形で具現されることができ、当該コンピュータソフトウェア製品は、１つの記憶媒体に記憶され、１台のコンピュータ機器（パーソナルコンピュータ、サーバ、またはネットワーク機器等であり得る）に本願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【図１】
2021528008.tif 000004
【図２】
2021528008.tif 000005
【図３】
2021528008.tif 000006
【図４】
2021528008.tif 000007
【図５】
2021528008.tif 000008
【図６】
2021528008.tif 000009
【図７】
2021528008.tif 000010
【図８】
2021528008.tif 000011
【図９】
2021528008.tif 000012
【国際調査報告】
2021528008.tif 000013
2021528008.tif 000014
2021528008.tif 000015
2021528008.tif 000016